(57)【要約】本発明の目的は、実際に編成される編地に近い編目のシミュレーション画像を迅速に表示することである。上レイヤ１と下レイヤ２との間で対応する編目の位置に画像が存在すれば、優先度が高い上レイヤ１の柄用編目１１や変形編目１２，１３の画像を表示する。各レイヤ内では、予めモジュール化された編目の組合わせをライブラリから選択し、編目の画像の位置および形状を変更する編集操作が可能である。柄用編目１１の周囲の編目は、柄用編目の編成による影響が反映されて変形編目１２，１３に置換えられる。基本編目１０や、柄用編目１１、変形編目１２，１３の画像データは、実際の編地の撮像やコンピュータグラフィックスを利用して作成し、記憶しておく。記憶されている画像データを組合わせて、実際に編成される編地に近い編目のシミュレーション画像を迅速に表示することができる。
2003032204.tif 000002
【特許請求の範囲】
【請求項１】
編地の画像を表示しながら、編地のデザインを行うニットデザイン方法であって、
予め定める基本的な編地を編成するための基本編目の形状を表す画像と、編地の編目を基本編目の形状から変化させて組織柄を形成するための柄用編目の形状を表す画像とを組合わせて、編地をデザインすることを可能にしておくとともに、
柄用編目を編成する影響で、該柄用編目の周囲の編目が変形を受ける形状を表す変形編目の画像を、基本編目と変形編目との組合わせに基づいて複数種類、生成可能にしておき、
基本編目と柄用編目とを組合わせて編地のデザインを行うと、柄用編目の周囲の編目を、予め定める対応関係に基づいて、変形画像で置換え、
基本編目、柄用編目および変形編目を組合わせた画像として、該編地の画像を表示することを特徴とするニットデザイン方法。
【請求項２】
前記編地のデザインは、前記基本編目、前記柄用編目、および前記変形編目を組合わせて、基本編目を配列した基本編地と、基本編目に対して柄用編目を配置し、周囲を変形編目で置換えた柄編地とを含む柄デザインを、予めライブラリに登録しておき、ライブラリに登録された柄デザインを選択し、選択された柄デザインを編集して行うことを特徴とする請求項１記載のニットデザイン方法。
【請求項３】
前記編地の画像の表示は、複数のレイヤに分けて割当てる前記柄デザインの画像を合成することによって行い、
各レイヤには優先度を割当てて、レイヤ間で対応する編目の位置に画像が存在すれば、優先度が最も高いレイヤの編目の画像を表示し、
前記編集として、各レイヤ内では、編目の画像の位置および形状を変更する操作が可能であることを特徴とする請求項２記載のニットデザイン方法。
【請求項４】
前記基本編目、前記柄用編目または前記変形編目の画像のうちの少なくとも一部は、予め実際の編地を撮像して、画像データとして記憶しておくことを特徴とする請求項１〜３のいずれかに記載のニットデザイン方法。
【請求項５】
前記基本編目、前記柄用編目または前記変形編目の画像のうちの少なくとも一部は、予めコンピュータグラフィックスを利用して作成し、画像データとして記憶しておくことを特徴とする請求項１〜４のいずれかに記載のニットデザイン方法。
【請求項６】
前記画像として表示される編地は、前記基本編目および前記柄用編目と、予め設定される編地編成用の編目表示方法との対応関係に基づいて、該編地編成用の情報に対し、相互に変換可能であることを特徴とする請求項１〜５のいずれかに記載のニットデザイン方法。
【請求項７】
請求項１〜６のいずれかに記載のニットデザイン方法を、コンピュータに実行させるためのプログラム。
【請求項８】
画像表示手段に編地の画像を表示しながら、編地のデザインを行うためのニットデザイン装置であって、
予め定める基本的な編地を編成するための基本編目の形状を表す画像、編地の編目を基本編目の形状から変化させて組織柄を形成するための柄用編目の形状を表す画像、および柄用編目を編成する影響で、該柄用編目の周囲の編目が変形を受ける形状を表す変形編目の画像とを、それぞれ表す画像データを予め記憶しておく編目画像記憶手段と、
編目画像記憶手段に記憶されている基本画像と柄画像とを組合わせて編地の画像を形成するための情報を入力する編地情報入力手段と、
編地情報入力手段への情報入力に応答し、該編地で柄画像の周囲に編成される編目を表す画像を、予め定める対応関係に基づいて、編目画像記憶手段に記憶されている変形編目の画像で置換える編目画像変形手段と、
基本編目、柄用編目および変形編目の画像を組合わせて、該編地の画像を該画像表示手段に表示する編地画像表示手段とを含むことを特徴とするニットデザイン装置。
【請求項９】
前記基本編目、前記柄用編目、および前記変形編目を組合わせて、基本編目を配列した基本編地と、基本編目に対して柄用編目を配置し、周囲を変形編目で置換えた柄編地とを含む柄デザインを、予めモジュール化して登録することが可能なライブラリ登録手段をさらに含み、
前記編地情報入力手段は、ライブラリ登録手段に登録された柄デザインを選択し、選択された柄デザインのサイズおよび／または繰返し回数の変更を含む編集作業が可能な編地編集手段を備えることを特徴とする請求項８記載のニットデザイン装置。
【請求項１０】
前記編地画像表示手段による編地の画像の表示は、編目の画像を複数のレイヤに分け、各レイヤには優先度を割当てて、レイヤ間で対応する編目の位置に画像が存在すれば、優先度が最も高いレイヤの編目の画像を表示することによって行い、
前記編地編集手段は、各レイヤ内で、編目の画像の生成と削除、生成される編目の位置および形状を変更する編集操作が可能であることを特徴とする請求項９記載のニットデザイン装置。
【請求項１１】
前記画像表示手段によって表示される編地を、前記基本編目および前記柄用編目と、予め設定される編地編成用の編目表示方法との対応関係に基づいて、該編地編成用の情報に変換する合成編地変換手段をさらに含み、
前記編地情報入力手段は、該編目表示方法に従う編地編成用の情報を、基本編目と柄用編目との組合わせに変換する編地情報変換手段を備えることを特徴とする請求項８〜１０のいずれかに記載のニットデザイン装置。
【発明の詳細な説明】
【技術分野】
本発明は、ニット製品の編地の画像をシミュレーションして表示することができるニットデザイン方法および装置に関する。
【背景技術】
従来から、ニット製品の編地のデザインには、たとえば日本工業規格であるＪＩＳ  Ｌ  ０２００で規定される編目記号や編成記号など、編地編成用の表示方法が利用されている。編目記号は、表編目や、裏編目、表タック編目、裏タック編目、浮き編目、移し編目など、各種の編目の組織を表す記号である。編成記号は、各編目記号に対応して、編針の編成の順序を表す記号である。編地編成用の表示方法は、編地を構成する個々の編目を指定し、この指定に従って、自動横編機で編地を編成するための編成データを生成することができる。
本件出願人は、特開昭６０−７１７４８号公報で、編目記号を色コードで置換えて表示し、自動横編機に対する編成データを生成する技術を提案している。編目記号を色コードで置換えることによって、コンピュータによる画像処理で、編地としてデザインすることが容易となり、また多くの色を使用して、表示手段により多くの種類の編目の組織を表すことができる。
本件出願人は、さらに、特開平７−７０８９０号公報で、編地編成用のデータを利用して、編地を構成する編目のループ画像をシミュレーションして生成し、編物のシミュレーション画像を表示する技術を提案している。また、特開平９−１１１６１７号公報で、編地編成用のデータを生成するためのニットデザインを行う際に、画像データを複数のレイヤに分解し、レイヤの優先表示とグループ化とを可能にして、デザインの容易化を図る技術を提案している。
ニットデザインを行う際に、編地編成用の表示方法を用いると、表示される画像は、その編地編成用のデータに従って編成される実際の編地のイメージを必ずしも忠実に反映するとは限らない。したがって、編地編成用のデータを使用して編地のデザインを行うデザイナは、デザインの際に、実際の編地のイメージを想像するような能力が要求され、編地を直感的にデザインすることができない。
特開平７−７０８９０号公報で提案しているような編目ループのシミュレーションを用いれば、実際の編地を直感的にデザインすることができる。この技術では、予め編糸の画像データを記憶しておき、編地編成用のデータを基に、編目の各ループの形状、位置、各部の明暗などを決定して、複数のセグメントに分割し、編糸の画像データを分割したセグメントに対応させてループとして合成する画像処理を行う。このため、処理に時間がかかり、デザイン修正などの操作に対する画像表示の追従性が充分ではない。また、実際の横編機によって編成される編地では、先に編成されるコースの編目の形状が後から編成されるコースの編目形状の影響を受けて変形するけれども、このような変形について適切に反映させることができない。
【発明の開示】
本発明の目的は、実際に編成される編地に近い編目の画像を迅速に表示することができるニットデザイン方法および装置を提供することである。
本発明は、編地の画像を表示しながら、編地のデザインを行うニットデザイン方法であって、
予め定める基本的な編地を編成するための基本編目の形状を表す画像と、編地の編目を基本編目の形状から変化させて組織柄を形成するための柄用編目の形状を表す画像とを組合わせて、編地をデザインすることを可能にしておくとともに、
柄用編目を編成する影響で、該柄用編目の周囲の編目が変形を受ける形状を表す変形編目の画像を、基本編目と変形編目との組合わせに基づいて複数種類、生成可能にしておき、
基本編目と柄用編目とを組合わせて編地のデザインを行うと、柄用編目の周囲の編目を、予め定める対応関係に基づいて、変形画像で置換え、
基本編目、柄用編目および変形編目を組合わせた画像として、該編地の画像を表示することを特徴とするニットデザイン方法である。
また本発明の前記編地のデザインは、前記基本編目、前記柄用編目、および前記変形編目を組合わせて、基本編目を配列した基本編地と、基本編目に対して柄用編目を配置し、周囲を変形編目で置換えた柄編地とを含む柄デザインを、予めライブラリに登録しておき、ライブラリに登録された柄デザインを選択し、選択された柄デザインを編集して行うことを特徴とする。
また本発明で、前記編地の画像の表示は、複数のレイヤに分けて割当てる前記柄デザインの画像を合成することによって行い、
各レイヤには優先度を割当てて、レイヤ間で対応する編目の位置に画像が存在すれば、優先度が最も高いレイヤの編目の画像を表示し、
前記編集として、各レイヤ内では、編目の画像の位置および形状を変更する操作が可能であることを特徴とする。
また本発明で、前記基本編目、前記柄用編目または前記変形編目の画像のうちの少なくとも一部は、予め実際の編地を撮像して、画像データとして記憶しておくことを特徴とする。
また本発明で、前記基本編目、前記柄用編目または前記変形編目の画像のうちの少なくとも一部は、予めコンピュータグラフィックスを利用して作成し、画像データとして記憶しておくことを特徴とする。
また本発明で、前記画像として表示される編地は、前記基本編目および前記柄用編目と、予め設定される編地編成用の編目表示方法との対応関係に基づいて、該編地編成用の情報に対し、相互に変換可能であることを特徴とする。
さらに本発明は、前述のいずれかに記載のニットデザイン方法を、コンピュータに実行させるためのプログラムである。
さらに本発明は、画像表示手段に編地の画像を表示しながら、編地のデザインを行うためのニットデザイン装置であって、
予め定める基本的な編地を編成するための基本編目の形状を表す画像、編地の編目を基本編目の形状から変化させて組織柄を形成するための柄用編目の形状を表す画像、および柄用編目を編成する影響で、該柄用編目の周囲の編目が変形を受ける形状を表す変形編目の画像とを、それぞれ表す画像データを予め記憶しておく編目画像記憶手段と、
編目画像記憶手段に記憶されている基本画像と柄画像とを組合わせて編地の画像を形成するための情報を入力する編地情報入力手段と、
編地情報入力手段への情報入力に応答し、該編地で柄画像の周囲に編成される編目を表す画像を、予め定める対応関係に基づいて、編目画像記憶手段に記憶されている変形編目の画像で置換える編目画像変形手段と、
基本編目、柄用編目および変形編目の画像を組合わせて、該編地の画像を該画像表示手段に表示する編地画像表示手段とを含むことを特徴とするニットデザイン装置である。
また本発明は、前記基本編目、前記柄用編目、および前記変形編目を組合わせて、基本編目を配列した基本編地と、基本編目に対して柄用編目を配置し、周囲を変形編目で置換えた柄編地とを含む柄デザインを、予めモジュール化して登録することが可能なライブラリ登録手段をさらに含み、
前記編地情報入力手段は、ライブラリ登録手段に登録された柄デザインを選択し、選択された柄デザインのサイズおよび／または繰返し回数の変更を含む編集作業が可能な編地編集手段を備えることを特徴とする。
また本発明で、前記編地画像表示手段による編地の画像の表示は、編目の画像を複数のレイヤに分け、各レイヤには優先度を割当てて、レイヤ間で対応する編目の位置に画像が存在すれば、優先度が最も高いレイヤの編目の画像を表示することによって行い、
前記編地編集手段は、各レイヤ内で、編目の画像の生成と削除、生成される編目の位置および形状を変更する編集操作が可能であることを特徴とする。
また本発明は、前記画像表示手段によって表示される編地を、前記基本編目および前記柄用編目と、予め設定される編地編成用の編目表示方法との対応関係に基づいて、該編地編成用の情報に変換する合成編地変換手段をさらに含み、
前記編地情報入力手段は、該編目表示方法に従う編地編成用の情報を、基本編目と柄用編目との組合わせに変換する編地情報変換手段を備えることを特徴とする。
【発明を実施するための最良の形態】
以下図面を参考にして本発明の好適な実施例を詳細に説明する。
図１は、本発明の実施の一形態であるニットデザイン方法のシミュレーションについて、基本的な考え方を示す。本実施形態では、図１（ａ）に示すように、複数のレイヤ、たとえば上レイヤ１と下レイヤ２とに分けて編目の画像を描画処理し、図１（ｂ）に示すように、編地画像３を表示しながら、編地のデザインを行う。複数のレイヤは、各レイヤには優先度を割当てて、レイヤ間で対応する編目の位置に画像が存在すれば、優先度が最も高いレイヤの編目の画像を表示し、各レイヤ内では、編目の画像の位置および形状を変更する編集操作が可能である。各レイヤに配置する編目画像は、予め用意しておき、柄を形成するために選択して配置すると、柄を配置した編目領域の周辺にも、柄による変形状態がシミュレートされ、変形した画像が選択されて配置される。
ここで、図の左右方向を横編機で編成する編地のコースの方向として、下から上に順次的に編成を行う場合を想定する。下レイヤ２に前ニットによる表天竺編などの基本編目１０を選択して一様に配置しておき、上レイヤ１に、例えば１ピッチだけ右に寄せる柄用編目１１を配置する。柄用編目１１で編目ループが１ピッチだけ右にずれると、すでに編成されている先行するコースの編目と、後から編成されるコースの編目とは、編糸が横に引かれるので、基本編目１０などの形状から変形を受ける。本実施形態では、変形を受ける編目の形状も、変形編目１２，１３などとして、予め用意しておく。上レイヤ１と下レイヤ２との編目画像を合成すれば、上レイヤの柄用編目１１および変形編目１２，１３の画像が下レイヤ２の基本編目１０の画像に優先して、図１（ｂ）に示すような編地画像３が得られる。
基本編目１０、柄用編目１１または変形編目１２，１３のうちの少なくとも一部の画像は、予め実際の編地を撮像して、画像データとして記憶しておくことができる。また、基本編目１０、柄用編目１１または変形編目１２，１３のうちの少なくとも一部の画像は、予めコンピュータグラフィックスを利用して作成し、画像データとして記憶しておくこともできる。さらに実際に撮像した画像データを、コンピュータグラフィックスを利用して変形したり、修正したりすることによって形成することもできる。
図２は、図１の基本的な考え方に基づいて、図１（ｂ）に示すような編地画像３をシミュレーションする手順を示す。ステップａ０から手順を開始し、ステップａ１では基本編目１０を選択する。基本編目１０としては、図１に示すような前ニットによる表天竺や、裏天竺、ゴム編み、リンクス柄など、表目または裏目の一方、または両方が同等に存在するものを選択可能にしておくことができる。ステップａ２では、選択された基本編目１０を下レイヤ２に描画処理する。ステップａ３では、柄用編目１１を選択する。ステップａ４で、選択された柄用編目１１が上レイヤ１に配置される。ステップａ５では、上レイヤ１で柄用編目１１を配置した領域の周囲に対応する下レイヤ２での基本編目１０を参照して、上レイヤ１で柄用編目１１が配置された領域の周囲の一部または全部に、予め設定される関係に基づいて、変形編目１２，１３を配置する。ステップａ６では、上レイヤ１と下レイヤ２との画像を合成し、上レイヤ１を優先させて、図１（ｂ）に示すような編地画像３を表示する。
デザイナは、ステップａ７で、表示された編地画像３を見て、さらに編集を行うか否かを判断する。さらに編集を行うときは、所定の編集操作などを行い、ステップａ８に移って、変形編目１２，１３が上レイヤ１から削除される。ステップａ９では、上レイヤ１で柄用編目１１に対する位置や形状の修正などの編集操作が行われ、ステップａ５に戻る。ステップａ５では、修正された柄用編目１１の周囲に変形編目１２，１３が再び配置される。ステップａ７で、デザイナが編地画像３を見て、編集しないと判断するときは、ステップａ１０で手順を終了する。柄用編目１１に関する編集操作を、基本編目１０が配置されている下レイヤ２とは異なる上レイヤ１で行うので、上レイヤ１に対する編集の影響は下レイヤ２には及ばず、編集と合成との切換を迅速に行うことができる。
図３は、図１の基本的な考え方に基づくニットデザイン方法を実行し、画像表示手段１９に表示する編地画像３を生成するニットデザイン装置２０の概略的な機能的構成を示す。ニットデザイン装置２０には、ライブラリ登録手段２１、編目画像記憶手段２２、編地情報入力手段２３、編目画像変形手段２４、編地画像表示手段２５、編地編集手段２６、画像メモリ２７、合成編地変換手段２８および編成データ処理手段２９が含まれる。
ライブラリ登録手段２１には、基本編目１０、柄用編目１１、および変形編目１２，１３を組合わせて、基本編目１０を配列した基本編地と、基本編目１０に対して柄用編目１１を配置し、周囲を変形編目１２，１３で置換えた柄編地とを含む柄デザインを、予めモジュール化して登録することが可能である。編目画像記憶手段２２には、予め定める基本的な編地を編成するための基本編目１０の形状を表す画像、編地の編目を基本編目１０の形状から変化させて組織柄を形成するための柄用編目１１の形状を表す柄画像、および柄用編目１１を編成する影響で、該柄用編目１１の周囲に編成される編目が変形を受ける形状を表す変形編目１２，１３の画像とを、それぞれ画像データのエレメントとして予め記憶しておく。編地情報入力手段２３には、編目画像記憶手段２２に記憶されている基本編目１０と柄用編目１１とを組合わせて編地を形成するための情報を入力する。編目画像変形手段２４は、編地情報入力手段２３への情報入力に応答し、編地で柄用編目１１の領域の周囲に編成される編目を、予め定める対応関係に基づいて、編目画像記憶手段２２に記憶されている変形編目１２，１３で置換える。編地画像表示手段２５は、基本編目１０の画像、柄用編目１１の画像および変形編目１２，１３の画像を組合わせて、編地画像３を画像表示手段１９に表示する。
編地画像表示手段２５による編地画像３の表示は、前述のように、編目の画像を複数のレイヤに分けて配置し、各レイヤには優先度を割当てて、レイヤ間で対応する編目の位置に画像が存在すれば、優先度が最も高いレイヤの編目の画像を表示することによって行う。レイヤの数は、上レイヤ１と下レイヤ２との２つだけでなく、より多くの数を用いることができる。編地編集手段２６は、画像メモリ２７にレイヤ構造で描画される編目の画像を編集することができる。編目編集手段２６は、各レイヤ内で、編目の画像の位置および形状を変更する編集操作が可能であり、また各レイヤ間での画像や優先度の再設定なども可能である。
さらに合成編地変換手段２８は、編地画像合成手段２５によって合成される編地画像３を、基本編目１０および柄用編目１１と、予め設定される編地編成用の編目表示方法との対応関係に基づいて、編地編成用の情報に変換する。また編地情報入力手段２３には、編目表示方法に従う編地編成用の情報を、基本編目１０の画像と柄用編目１１の画像とを組合わせて編地の画像を形成するための情報に変換する。したがって、基本編目１０および柄用編目１１と、予め設定される編地編成用の編目表示方法との対応関係に基づいて、編地のシミュレーション画像と編地編成用の情報とを相互に変換して、デザインや編地編成用の情報作成を容易に行うことができる。
図４は、図３のニットデザイン装置２０として機能させることができるコンピュータ装置３０の概略的な電気的構成を示す。コンピュータ装置３０は、ＣＰＵ３１がＲＯＭ３２に予め格納されているプログラムや、ＲＡＭ３３に展開されるプログラムに従って、図３に示すニットデザイン装置２０として機能する。入力装置３４は、デザイナからの指示や操作を受ける。入力装置３４としては、キーボードや、マウス、トラックボール、ペンタブレットなどのポインティングデバイスなどが用いられる。編目や編地の画像は、画像処理装置３５で処理される。ハードディスク装置３６は、ＲＡＭ３３に展開するプログラムを記憶しておいたり、図３のライブラリ登録手段２１や編目画像記憶手段２２として、編目の画像を記憶しておく。外部記憶装置３７は、記録媒体を着脱して、編地編成用データの受渡し、プログラムや画像データの受渡しなどに用いる。データやプログラムは、通信アダプタ３８を介して、インターネットなどの情報通信ネットワークからダウンロードすることもできる。画像処理手段３５が出力する画像は、図３の画像表示手段１９に相当するディスプレイ装置３９で表示される。
図５は、デザイナが図３のニットデザイン装置２０の編地編集手段２６を用いて編地のデザインを行うときの概略的な手順を示す。ステップｂ０から手順を開始し、ステップｂ１では、ライブラリ登録手段２１にモジュール化されて登録されている柄デザインの一部が画像表示手段１９の表示画面に表示される。表示する柄デザインは、ポインティングデバイスを利用してカーソルを画面内で移動させ、クリック操作などで選択することができる。表示を他の柄デザインに変更させることもできる。ステップｂ２では、デザイナが柄デザインを選択する。ステップｂ３では、選択した柄デザインに対して、デザイナから編集操作が行われる。編集は、柄デザインのサイズや繰返し回数、位置などを任意に変更して行うことができる。たとえば寄り目の目数などを変更すると、柄用編目の選択や置換え、さらに柄用編目の周囲の一部または全部への変形編目の置換えが自動的に行われ、画像として表示される。前述のように、編目の画像は複数のレイヤに分けて描画処理されるので、移動や複写、削除等の編集作業を容易に行うことが可能となる。
柄デザインの編集が終了すると、ステップｂ４では、編集した柄デザインをライブラリ登録手段２１に登録するか否かを判断する。登録すると判断するときは、ステップｂ５で登録を行う。登録の指示は、たとえば画面の一部に表示されるボタンなどをカーソルで選択してクリックすることなどで行うことができる。ライブラリ手段２１への登録は、新規に作成する編地の一部あるいは全部についてもモジュール化して行うことができる。また、すでに登録されている柄デザインを組合わせて新たな柄デザインとして登録することもできる。登録の終了後、またはステップｂ４で登録しないと判断した後では、ステップｂ６でライブラリから新たな柄デザインを選択するか否かを判断する。新たな柄デザインを選択するときには、ステップｂ１に戻る。新たな柄デザインを選択しないときには、ステップｂ７で編地のデザインを終了する。
図６および図７は、図３の編目画像記憶手段２２に予め用意される編目のエレメント画像の例を示す。図６は表目を示し、図７は裏目を示す。（ａ）は右に寄せる場合、（ｂ）は左に寄せる場合に使用しうる編目の画像をそれぞれ示す。図７（ｃ）は、Ｆで表目、Ｂで裏目、Ｍでミスをそれぞれ示し、編目が移行する部分で受ける変形に対応する状態の編目のエレメント画像をそれぞれ示す。なお、図１に基本編目１０として示す編目は、図６（ａ）の▲１▼で示す１番目のエレメント画像に対応する。図１の柄用編目１１は、▲３▼で示す３番目のエレメント画像に相当する。変形編目１２，１３は、▲２▼および▲４▼で示す２番目および４番目のエレメント画像にそれぞれ相当する。
図６および図７では、天竺、リブ編み、リンクス、１ピッチ寄せなどの基本的な編地の柄を表示するのに必要な編目を、エレメント画像として示している。編地の画像の最小単位としてのエレメント画像を組合わせることによって、種々の柄の編地を表示することができ、画像を記憶しておくメモリ等の記憶容量も節約することができる。（ｂ）の左に寄せる場合は、（ａ）の右に寄せる場合と鏡像の関係にあるので、省略して、必要時にミラー画像処理で左右を反転させて形成するようにすることもできる。
図６（ａ）は、天竺表目で１ピッチ右に寄せる編地を表示するのに必要な最小限のエレメント画像を１８個用意していることを示す。これには１ピッチ寄せの隣がミスである編地の表示に使用する１４番目、１５番目、１６番目の柄用編目と、成型のための寄せを表示するのに使用する１７番目の変形編目と１８番目の柄用編目も含まれる。
図６（ｂ）は、天竺表目で１ピッチ左に寄せる編地を表示するのに必要な最小限のエレメント画像を１８個用意していることを示す。
図７（ａ）は、天竺裏目で１ピッチ右に寄せる編地を表示するのに必要な最小限のエレメント画像を１３個用意していることを示す。図７（ｂ）は、天竺裏目で１ピッチ左に寄せる編地を表示するのに必要な最小限のエレメント画像を１３個用意していることを示す。図７（ａ）および図７（ｂ）で用意するエレメント画像の数が図６（ａ）および図６（ｂ）に比べて少ないのは、共有可能なエレメント画像については共有し、メモリの記憶容量を節約しているためであるけれども、重複してエレメント画像を用意しておくこともできる。
図６（ａ），（ｂ）のエレメント画像は、次のように基本編目、柄用編目および変形編目に分別することができる。数字は、何番目のエレメント画像であるかを示す。
・基本編目：１
・柄用編目：３、６、８、１４、１５、１６、１８
・変形編目：２、４、５、７、９、１０、１１、１２、１３、１７
図８〜図２４は、本実施形態で合成される編地の画像を、編目編成データと比較して示す。図８は、寄せが１つだけある場合を示す。図８（ａ）は、図１と同一の編地を示す。図８（ｂ）は裏目に対する例を示す。図８（ｂ）で、図１の基本編目１０に相当する編目として図７（ａ）の１番目のエレメント画像を用い、柄用編目１１および変形編目１２，１３に相当する編目として、３番目、２番目および４番目のエレメント画像をそれぞれ用いる点は、図７（ａ）の表目の場合と対応している。図９は、図８の（ａ）および（ｂ）を組合わせた編地を示す。
図１０および図１１は、右寄せが右上に連続してある場合を示す。また、１つのコース内では、１ピッチ右寄せが３つ連続している。３つ連続している左端の編目に関しては、図８（ａ），（ｂ）とそれぞれ同様に２番目および４番目のエレメント画像を変形編目として付加する。右側の２つの右寄せに対しては、図６（ａ）および図７（ａ）の６番目のエレメント画像を柄用編目として配置する。この２つの編目の前のコースである下側には、図６（ａ）および図７（ａ）の５番目のエレメント画像を変形編目として配置する。このようにして得られる合計７つの編目の領域は、略Ｌ字型の形状を有し、この領域を単位として右上に繰返すことによって、連続した組織柄の画像が得られる。
図１２〜図１４は、寄せが上方に連続する編地の例を示す。図１２は、右寄せが上に連続する場合を示す。下側の右寄せに対応する柄用編地として図６（ａ）の３番目のエレメント画像を使用し、その上の柄用編地としては８番目のエレメント画像を使用する。８番目と３番目との間には、変形編目として７番目のエレメント画像を使用する。８番目の上の変形編目としては、４番目のエレメント画像を使用する。図１３では、右寄せの上に左寄せが連続する編地の例を示す。上側の左寄せの編目の前のコースが下側の右寄せの編目の次のコースになっているので、中間の変形編目として図６（ａ）の９番目のエレメント画像を使用する。図１４では、図１３の各寄せ目がそれぞれ右側にもう１つづつ追加されている。柄形成用編目には、３番目および６番目のエレメント画像を使用する。図１３で９番目のエレメント画像を使用した編目は、１０番目のエレメント画像を変形編目として使用する。他の変形編目は、２番目および５番目のエレメント画像をそれぞれを使用する。
図１５〜図１８は、寄せを組合わせて形成することができる組織柄の例を示す。図１５は、木の葉柄を示す。天竺表目である前ニットの基本編目に対応する図６（ａ）の１番目のエレメント画像による編地に、１ピッチ左寄せの編目と右寄せの編目をコース方向に１〜５個並べて順次ずらしている。寄せる方向の反対側の端には、図１０などと同様に、編糸がない編目が生じる。図１６および図１７は、寄せの端が表裏逆となる例を示す。図１６では、前ニットで１ピッチ右に寄せる編目をコース方向に３つ連続させ、その両側には後ニットによる裏天竺の編目を配置する。前ニットで１ピッチ左に寄せる編目の両側にも裏天竺の編目を配置する。図１７では、図１６に対して表目と裏目との関係を反転している。図１８は、図１６を応用した柄を示す。
図１９〜図２１は、寄せの隣がミスの場合の例を示す。図１９および図２０では、コース方向の両側で１ピッチ右または左に寄せ、その間の編目を無選針のミスにしておく。寄せる方向は、図の上側では相互に近寄る方向、下側では相互に離れる方向である。図１９は表目、図２０は裏目の場合をそれぞれ示す。図２１では、前ニットについて、コース方向に並ぶミスの編目の一部に、一方端のみに１ピッチの右寄せの編目を配置しているものを含む場合を示す。
図２２〜図２４は、成型のための寄せを示す。図２２は、１ピッチずつ寄せる例を示す。図２３は、２ピッチずつ寄せる場合を示す。図２４は、２ピッチずつ寄せるコースと、前ニットのコースとを繰返す例を示す。図２２は、図６（ａ）に示すエレメント画像を組合わせて表示することができる。図２３および図２４の編地画像をシミュレートするときは、２ピッチの寄せに対応する編目画像や伏せ目に対応するエレメント画像が必要となり、図６および図７で用意する基本編目、柄用編目、変形編目のエレメント画像では適切に表示することができない。
図２５は、図２３および図２４に示すような２ピッチの寄せに対応する編目のエレメント画像と、伏せ目に対応する編目のエレメント画像の例を示す。これらのエレメント画像を組合わせることによって、図２６に示すような編地の端部で編出し処理を行いながら横に張出す編地も、シミュレーション画像として生成することができる。横に張出す編目の数を増やすときは、破線で囲ってある部分を目数に応じてリピートさせればよい。
図２７〜図３３は、図３の編地編集手段２６を利用して編集作業を行う際に、画像表示手段１９の表示画面４０に表示される画像の例を示す。図２７および図２８は、編地を編集している際の画面を示す。編地のズーム画像４１は、ズーム指示領域４２で行う範囲指定４３に対応して表示される。編集対象となるズーム編地４１には、ループ編集領域４４で指示枠４５ａによって指示される編目ループを付加することができる。また、リピートなどを指示する編集機能４５ｂを利用して、指示枠４５ａによって指示される編目ループを繰返して付加することもできる。
図２９〜図３３は、図３のライブラリ登録手段２１に予めモジュール化されて登録されている柄デザインを選択する際のループ選択画面４６を示す。柄デザインは、基本的にリンクス、交差、寄せ、表裏交差、およびタックに分類しておき、リスト表示領域４７から選択枠４８で選択することができる。選択枠４８で選択された柄デザインは、モジュール表示領域４９に表示される。図２９はリンクス、図３０は交差、図３１は寄せ、図３２は表裏交差、図３３はタックについて、それぞれ登録されている柄デザインを表示している例を示す。なお、モジュール表示領域４９に表示される柄デザインは、図２９に示すように編成用の色コードで表示することもでき、図３０〜図３３に示すようにシミュレーションした編地画像として表示することもできる。これらの表示は、適宜切換えることができる。
本発明は、その精神または主要な特徴から逸脱することなく、他のいろいろな形態で実施できる。従って、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【産業上の利用可能性】
以上のように本発明によれば、編地の画像を表示しながら、基本編目と柄用編目とを組合わせて編地のデザインを行う際に、その編地で柄用編目の周囲に編成される編目を、予め定める対応関係に基づいて変形編目で置換え、基本編目、柄用編目および変形編目の画像を組合わせて、編地の画像を形成する。基本編目は、予め定める基本的な編地を編成するための編目であり、柄用編目は、編地の編目を基本編目の形状から変化させて組織柄などを形成するための編目であり、変形編目で、柄用編目を編成する影響で、その柄用編目の周囲に編成される編目が変形を受ける影響を反映させることができる。柄用編目の周囲に変形編目を配置するので、実際に編成される編地に近い編目の組合わせを得ることができる。基本編目、柄用編目および変形編目の画像は、予め生成可能にしておくので、編目を組合わせる編地の画像を、迅速にシミュレーション画像として表示することができる。
また本発明によれば、基本編目を配列した基本編地や、基本編目に対して柄用編目を配置し、周囲を変形編目で置換えた柄編地を含む柄デザインを、予めライブラリに登録しておき、ライブラリに登録された柄デザインを選択し、編集して編地のデザインを行うことができるので、デザイナは基本編目と柄用編目とを直接選択して編地のデザインを行う必要はなく、編地のデザインを効率的に行うことができる。
また本発明によれば、編地の画像として表示するための編地の画像は、複数のレイヤに分けて割当て、レイヤ間で対応する編目の位置に画像が存在すれば、優先度が最も高いレイヤの編目の画像を表示し、各レイヤ内で編目の画像の位置および形状を変更する編集操作が可能であるので、編目を組合わせる編地のデザインを容易に行うことができる。
また本発明によれば、基本編目、柄用編目または変形編目の画像のうちの少なくとも一部に実際の編地を撮像した実写の画像データを利用し、リアルな画像を表示することができる。
また本発明によれば、基本編目、柄用編目または変形編目のうちの少なくとも一部を予めコンピュータグラフィックスを利用して作成するので、実際には存在しない編地を構成する編目の画像データも作成して記憶しておくことができる。
また本発明によれば、画像として表示される編地は、基本編目および柄用編目と、予め設定される編地編成用の編目表示方法との対応関係に基づいて、編地編成用の情報と相互に変換可能であるので、編地編成用のデータから編地のイメージを画像としてシミュレーション表示したり、シミュレーション画像から編地編成用のデータを生成することができる。
さらに本発明によれば、前述のいずれかに記載のニットデザイン方法を、コンピュータを用いて実行させ、利用することができる。
さらに本発明によれば、画像表示手段に編地の画像を表示しながら、編地のデザインを行うためのニットデザイン装置は、編目画像記憶手段に基本編地、柄用編地、および変形編地をそれぞれ表す画像データを予め記憶しておくので、必要な画像を迅速に利用することができる。編成する編地についての編地情報入力手段への情報入力に応答し、該編地で柄用編目の周囲に編成される編目が受ける影響を、予め定める対応関係に基づいて、編目画像記憶手段に記憶されている変形編目で置換えることによって反映させ、基本編目、柄用編目および変形編目の画像を組合わせて、該編地の画像を該画像表示手段に表示するので、組織柄などを実際の編地に近い状態で、シミュレーションして表示することができる。
また本発明によれば、ライブラリ登録手段に、基本編目を配列した基本編地や、基本編目に対して柄用編目を配置し、周囲を変形編目で置換えた柄編地を含む柄デザインを、予めモジュール化してライブラリに登録しておき、編地情報入力手段が備える編地編集手段で、ライブラリに登録された柄デザインを選択し、選択された柄デザインのサイズおよび／または繰返し回数の変更を含む編集作業を行って、容易に編地のデザインを行うことができる。
また本発明によれば、編地の画像の合成は、編目を複数のレイヤに分け、レイヤ間で優先度が最も高いレイヤの編目の画像を表示することによって行い、各レイヤ内で、編目の画像の位置および形状を変更する編集操作が可能であるので、編地のシミュレーション画像を表示させながら、容易に編集操作を行うことができる。
また本発明によれば、基本編目および柄用編目と、予め設定される編地編成用の編目表示方法との対応関係に基づいて、編地のシミュレーション画像と編地編成用の情報とを相互に変換して、デザインや編地編成用の情報作成を容易に行うことができる。
【図面の簡単な説明】
本発明の目的、特色、および利点は、下記の詳細な説明と図面とからより明確になるであろう。
図１は、本発明の実施の一形態であるニットデザイン方法のシミュレーションについて、基本的な考え方を示す図である。
図２は、図１の考え方に基づいて、編地の画像をシミュレーションする手順を示すフローチャートである。
図３は、図１のニットデザイン方法を実行するニットデザイン装置２０の概略的な機能的構成を示すブロック図である。
図４は、図３のニットデザイン装置２０として機能させることができるコンピュータ装置３０の概略的な電気的構成を示すブロック図である。
図５は、図３のニットデザイン装置２０を用いて編地のデザインを行うときの概略的な手順を示すフローチャートである。
図６は、図３の編目画像記憶手段２２に予め用意される編目のエレメント画像を示す図である。
図７は、図３の編目画像記憶手段２２に予め用意される編目のエレメント画像を示す図である。
図８は、本実施形態でシミュレーション表示される編地の画像を、編目編成データと比較して示す図である。
図９は、本実施形態でシミュレーション表示される編地の画像を、編目編成データと比較して示す図である。
図１０は、本実施形態でシミュレーション表示される編地の画像を、編目編成データと比較して示す図である。
図１１は、本実施形態でシミュレーション表示される編地の画像を、編目編成データと比較して示す図である。
図１２は、本実施形態でシミュレーション表示される編地の画像を、編目編成データと比較して示す図である。
図１３は、本実施形態でシミュレーション表示される編地の画像を、編目編成データと比較して示す図である。
図１４は、本実施形態でシミュレーション表示される編地の画像を、編目編成データと比較して示す図である。
図１５は、本実施形態でシミュレーション表示される編地の画像を、編目編成データと比較して示す図である。
図１６は、本実施形態でシミュレーション表示される編地の画像を、編目編成データと比較して示す図である。
図１７は、本実施形態でシミュレーション表示される編地の画像を、編目編成データと比較して示す図である。
図１８は、本実施形態でシミュレーション表示される編地の画像を、編目編成データと比較して示す図である。
図１９は、本実施形態でシミュレーション表示される編地の画像を、編目編成データと比較して示す図である。
図２０は、本実施形態でシミュレーション表示される編地の画像を、編目編成データと比較して示す図である。
図２１は、本実施形態でシミュレーション表示される編地の画像を、編目編成データと比較して示す図である。
図２２は、本実施形態でシミュレーション表示される編地の画像を、編目編成データと比較して示す図である。
図２３は、本実施形態でシミュレーション表示される編地の画像を、編目編成データと比較して示す図である。
図２４は、本実施形態でシミュレーション表示される編地の画像を、編目編成データと比較して示す図である。
図２５は、図３の編目画像記憶手段２２に予め用意される編目のエレメント画像を示す図である。
図２６は、本実施形態でシミュレーション表示される編地の画像を、編目編成データと比較して示す図である。
図２７は、図３の編地編集手段２６による編集作業時に画像表示手段１９に表示される画面の例を示す図である。
図２８は、図３の編地編集手段２６による編集作業時に画像表示手段１９に表示される画面の例を示す図である。
図２９は、図３の編地編集手段２６による編集作業の柄デザイン選択時に画像表示手段１９に表示される画面の例を示す図である。
図３０は、図３の編地編集手段２６による編集作業の柄デザイン選択時に画像表示手段１９に表示される画面の例を示す図である。
図３１は、図３の編地編集手段２６による編集作業の柄デザイン選択時に画像表示手段１９に表示される画面の例を示す図である。
図３２は、図３の編地編集手段２６による編集作業の柄デザイン選択時に画像表示手段１９に表示される画面の例を示す図である。
図３３は、図３の編地編集手段２６による編集作業の柄デザイン選択時に画像表示手段１９に表示される画面の例を示す図である。
【図１】
2003032204.tif 000003
【図２】
2003032204.tif 000004
【図３】
2003032204.tif 000005
【図４】
2003032204.tif 000006
【図５】
2003032204.tif 000007
【図６】
2003032204.tif 000008
【図７】
2003032204.tif 000009
【図８】
2003032204.tif 000010
【図９】
2003032204.tif 000011
【図１０】
2003032204.tif 000012
【図１１】
2003032204.tif 000013
【図１２】
2003032204.tif 000014
【図１３】
2003032204.tif 000015
【図１４】
2003032204.tif 000016
【図１５】
2003032204.tif 000017
【図１６】
2003032204.tif 000018
【図１７】
2003032204.tif 000019
【図１８】
2003032204.tif 000020
【図１９】
2003032204.tif 000021
【図２０】
2003032204.tif 000022
【図２１】
2003032204.tif 000023
【図２２】
2003032204.tif 000024
【図２３】
2003032204.tif 000025
【図２４】
2003032204.tif 000026
【図２５】
2003032204.tif 000027
【図２６】
2003032204.tif 000028
【図２７】
2003032204.tif 000029
【図２８】
2003032204.tif 000030
【図２９】
2003032204.tif 000031
【図３０】
2003032204.tif 000032
【図３１】
2003032204.tif 000033
【図３２】
2003032204.tif 000034
【図３３】
2003032204.tif 000035
【手続補正書】
【提出日】平成15年6月20日(2003.6.20)
【手続補正１】
【補正対象書類名】明細書
【補正対象項目名】請求項１
【補正方法】変更
【補正の内容】
【請求項１】
編地の画像を表示しながら、編地のデザインを行うニットデザイン方法であって、
予め定める基本的な編地を編成するための基本編目の形状を表す画像と、編地の編目を基本編目の形状から変化させて組織柄を形成するための柄用編目の形状を表す画像とを組合わせて、編地をデザインすることを可能にしておくとともに、
柄用編目を編成する影響で、該柄用編目の周囲の編目が位置に応じて変形を受ける形状を表す複数の変形編目の画像を、基本編目と変形編目との組合わせに基づいて複数種類、生成可能にしておき、
基本編目と柄用編目とを組合わせて編地のデザインを行うと、柄用編目の周囲の編目を、予め定める対応関係に基づいて、複数の変形編目の画像から編目の位置に応じて選択される画像で置換え、
基本編目、柄用編目および変形編目を組合わせた画像として、該編地の画像を表示することを特徴とするニットデザイン方法。
【手続補正２】
【補正対象書類名】明細書
【補正対象項目名】請求項８
【補正方法】変更
【補正の内容】
【請求項８】
画像表示手段に編地の画像を表示しながら、編地のデザインを行うためのニットデザイン装置であって、
予め定める基本的な編地を編成するための基本編目の形状を表す画像、編地の編目を基本編目の形状から変化させて組織柄を形成するための柄用編目の形状を表す画像、および柄用編目を編成する影響で、該柄用編目の周囲の編目が位置に応じて変形を受ける形状を表す複数の変形編目の画像とを、それぞれ表す画像データを予め記憶しておく編目画像記憶手段と、
編目画像記憶手段に記憶されている基本画像と柄画像とを組合わせて編地の画像を形成するための情報を入力する編地情報入力手段と、
編地情報入力手段への情報入力に応答し、該編地で柄画像の周囲に編成される編目を表す画像を、予め定める対応関係に基づいて、編目画像記憶手段に記憶されている複数の変形編目の画像から編目の位置に応じて選択される画像で置換える編目画像変形手段と、
基本編目、柄用編目および変形編目の画像を組合わせて、該編地の画像を該画像表示手段に表示する編地画像表示手段とを含むことを特徴とするニットデザイン装置。
【手続補正３】
【補正対象書類名】明細書
【補正対象項目名】０００２
【補正方法】変更
【補正の内容】
【０００２】
像するような能力が要求され、編地を直感的にデザインすることができない。
特開平７−７０８９０号公報で提案しているような編目ループのシミュレーションを用いれば、実際の編地を直感的にデザインすることができる。この技術では、予め編糸の画像データを記憶しておき、編地編成用のデータを基に、編目の各ループの形状、位置、各部の明暗などを決定して、複数のセグメントに分割し、編糸の画像データを分割したセグメントに対応させてループとして合成する画像処理を行う。このため、処理に時間がかかり、デザイン修正などの操作に対する画像表示の追従性が充分ではない。また、実際の横編機によって編成される編地では、先に編成されるコースの編目の形状が後から編成されるコースの編目形状の影響を受けて変形するけれども、このような変形について適切に反映させることができない。
【発明の開示】
本発明の目的は、実際に編成される編地に近い編目の画像を迅速に表示することができるニットデザイン方法および装置を提供することである。
本発明は、編地の画像を表示しながら、編地のデザインを行うニットデザイン方法であって、
予め定める基本的な編地を編成するための基本編目の形状を表す画像と、編地の編目を基本編目の形状から変化させて組織柄を形成するための柄用編目の形状を表す画像とを組合わせて、編地をデザインすることを可能にしておくとともに、
柄用編目を編成する影響で、該柄用編目の周囲の編目が変形を受ける形状を表す変形編目の画像を、基本編目と変形編目との組合わせに基づいて複数種類、生成可能にしておき、
基本編目と柄用編目とを組合わせて編地のデザインを行うと、柄用編目の周囲の編目を、予め定める対応関係に基づいて、変形画像で置換え、
基本編目、柄用編目および変形編目を組合わせた画像として、該編地の画像を表示することを特徴とするニットデザイン方法である。
また本発明の前記編地のデザインは、前記基本編目、前記柄用編目、および前


【手続補正４】
【補正対象書類名】明細書
【補正対象項目名】０００３
【補正方法】変更
【補正の内容】
【０００３】
記変形編目を組合わせて、基本編目を配列した基本編地と、基本編目に対して柄用編目を配置し、周囲を変形編目で置換えた柄編地とを含む柄デザインを、予めライブラリに登録しておき、ライブラリに登録された柄デザインを選択し、選択された柄デザインを編集して行うことを特徴とする。
また本発明で、前記編地の画像の表示は、複数のレイヤに分けて割当てる前記柄デザインの画像を合成することによって行い、
各レイヤには優先度を割当てて、レイヤ間で対応する編目の位置に画像が存在すれば、優先度が最も高いレイヤの編目の画像を表示し、
前記編集として、各レイヤ内では、編目の画像の位置および形状を変更する操作が可能であることを特徴とする。
また本発明で、前記基本編目、前記柄用編目または前記変形編目の画像のうちの少なくとも一部は、予め実際の編地を撮像して、画像データとして記憶しておくことを特徴とする。
また本発明で、前記基本編目、前記柄用編目または前記変形編目の画像のうちの少なくとも一部は、予めコンピュータグラフィックスを利用して作成し、画像データとして記憶しておくことを特徴とする。
また本発明で、前記画像として表示される編地は、前記基本編目および前記柄用編目と、予め設定される編地編成用の編目表示方法との対応関係に基づいて、該編地編成用の情報に対し、相互に変換可能であることを特徴とする。
さらに本発明は、前述のいずれかに記載のニットデザイン方法を、コンピュータに実行させるためのプログラムである。
さらに本発明は、画像表示手段に編地の画像を表示しながら、編地のデザインを行うためのニットデザイン装置であって、
予め定める基本的な編地を編成するための基本編目の形状を表す画像、編地の編目を基本編目の形状から変化させて組織柄を形成するための柄用編目の形状を表す画像、および柄用編目を編成する影響で、該柄用編目の周囲の編目が変形を受ける形状を表す変形編目の画像とを、それぞれ表す画像データを予め記憶しておく編目画像記憶手段と、


【手続補正５】
【補正対象書類名】明細書
【補正対象項目名】０００４
【補正方法】変更
【補正の内容】
【０００４】
編目画像記憶手段に記憶されている基本画像と柄画像とを組合わせて編地の画像を形成するための情報を入力する編地情報入力手段と、
編地情報入力手段への情報入力に応答し、該編地で柄画像の周囲に編成される編目を表す画像を、予め定める対応関係に基づいて、編目画像記憶手段に記憶されている変形編目の画像で置換える編目画像変形手段と、
基本編目、柄用編目および変形編目の画像を組合わせて、該編地の画像を該画像表示手段に表示する編地画像表示手段とを含むことを特徴とするニットデザイン装置である。
また本発明は、前記基本編目、前記柄用編目、および前記変形編目を組合わせて、基本編目を配列した基本編地と、基本編目に対して柄用編目を配置し、周囲を変形編目で置換えた柄編地とを含む柄デザインを、予めモジュール化して登録することが可能なライブラリ登録手段をさらに含み、
前記編地情報入力手段は、ライブラリ登録手段に登録された柄デザインを選択し、選択された柄デザインのサイズおよび／または繰返し回数の変更を含む編集作業が可能な編地編集手段を備えることを特徴とする。
また本発明で、前記編地画像表示手段による編地の画像の表示は、編目の画像を複数のレイヤに分け、各レイヤには優先度を割当てて、レイヤ間で対応する編目の位置に画像が存在すれば、優先度が最も高いレイヤの編目の画像を表示することによって行い、
前記編地編集手段は、各レイヤ内で、編目の画像の生成と削除、生成される編目の位置および形状を変更する編集操作が可能であることを特徴とする。
また本発明は、前記画像表示手段によって表示される編地を、前記基本編目および前記柄用編目と、予め設定される編地編成用の編目表示方法との対応関係に基づいて、該編地編成用の情報に変換する合成編地変換手段をさらに含み、
前記編地情報入力手段は、該編目表示方法に従う編地編成用の情報を、基本編目と柄用編目との組合わせに変換する編地情報変換手段を備えることを特徴とする。
【図面の簡単な説明】




【国際調査報告】
2003032204.tif 000036
2003032204.tif 000037
2003032204.tif 000038